(57)【要約】【課題】屋上等に設置されている、ＢＳ放送などの各種放送信号を伝送するミリ波送信機からの電波を集合住宅の各戸が受信することによって、配線なしに、屋内の受像機において各種放送を受信することができる。【解決手段】集合住宅２０の屋上に各種放送の受信用のアンテナ３１、３２、３３が設置され、これらのアンテナの受信信号がミリ波送信機２２に供給される。ミリ波送信機２２からのミリ波帯の電波がミリ波受信部２３で受信され、受信信号が各入居者の屋内に取り込まれる。屋内では、無線伝送システムによって放送を視聴できる。近隣の建物３４、戸建て住宅３５Ｂ、３５Ｃに対してもミリ波電波が送信され、他の建物の難視聴を解決できる。各入居者は、送信機２２からの電波を反射器で反射し、また、窓のガラスの屋外側または屋内側に取り付けた受信アンテナで電波を受信し、無線で屋内へ信号を引き込む。【選択図】　図３
2004056457.tif 000002
【特許請求の範囲】
【請求項１】
建物の屋上または上の階にミリ波送信機を設置し、上記ミリ波送信機によって、放送メディアの信号をミリ波帯電波として下方に放射し、上記ミリ波帯電波を上記建物の入居者にワイヤレスで伝送することを特徴とする無線伝送システム。
【請求項２】
請求項１において、
さらに、近隣の他の建物に対して放送メディアの信号をミリ波帯電波として送信するようにした無線伝送システム。
【請求項３】
請求項１において、
反射板によって、上記ミリ波送信機から放射された電波の進行方向を各入居者の部屋に向けるようにした無線伝送システム。
【請求項４】
請求項３において、
上記ミリ波送信機と複数の上記反射板のそれぞれとの間の距離の相違で生じる受信レベルの相違を補正するようにした無線伝送システム。
【請求項５】
請求項４において、
上記ミリ波送信機に近い階においては、上記反射板の材料を、反射率のより低い材料とする無線伝送システム。
【請求項６】
請求項４において、
上記ミリ波送信機に近い階においては、上記反射板を受信レベルの低い場所に設置するようにした無線伝送システム。
【請求項７】
請求項１において、
上記送信機からのミリ波帯電波を、屋外と屋内を仕切る板の屋内側に取り付けた受信アンテナで受信する無線伝送システム。
【請求項８】
請求項７において、
上記受信アンテナで受信したミリ波信号を屋内で送信アンテナによって再放射するようにした無線伝送システム。
【請求項９】
請求項８において、
上記送信アンテナの指向性を広角とする無線伝送システム。
【請求項１０】
請求項１において、
上記送信機からのミリ波帯電波を、屋外と屋内を仕切る板の屋外側に取り付けた受信アンテナで受信する無線伝送システム。
【請求項１１】
請求項１０において、
上記送信機からのミリ波帯電波の進行方向を反射板で上記受信アンテナへ向けるようにした無線伝送システム。
【請求項１２】
請求項１０において、
上記受信アンテナで受信したミリ波信号を屋内に設けた送信アンテナに伝送し、上記送信アンテナによってミリ波信号を再放射するようにした無線伝送システム。
【請求項１３】
請求項１２において、
屋内と屋外を仕切る板の一面に上記受信アンテナの端部が被着され、上記板の他の面で、上記受信アンテナの端部にほぼ一致する場所に、上記送信アンテナの端部を被着するようにした無線伝送システム。
【請求項１４】
請求項１３において、
上記受信アンテナの端部と、上記送信アンテナの端部との接続部で、電波の反射を抑えるようにした無線伝送システム。
【請求項１５】
請求項１２において、
屋内と屋外を仕切る板を芯線が貫通し、上記板の両側から二つの同軸コネクタがそれぞれ突出され、上記芯線と上記二つの同軸コネクタを介して上記受信アンテナと上記送信アンテナが接続された無線伝送システム。
【請求項１６】
請求項１２において、
上記送信アンテナの指向性を広角とする無線伝送システム。
【請求項１７】
請求項１２において、
上記ミリ波送信機と複数の上記受信アンテナのそれぞれとの間の距離の相違で生じる受信レベルの相違を補正するようにした無線伝送システム。
【請求項１８】
請求項１７において、
上記ミリ波送信機に近い階においては、上記受信アンテナ設置位置を、受信レベルの低い場所に設置するように調整し、受信機側で受信レベルを低く抑えるようにした無線伝送システム。
【請求項１９】
請求項１７において、
上記ミリ波送信機に近い階においては、上記受信アンテナのカバーの材質を透過率の低い材質とした無線伝送システム。
【請求項２０】
建物の屋上または上の階にミリ波送信機を設置し、上記ミリ波送信機によって、放送メディアの信号をミリ波帯電波として下方に放射し、上記ミリ波帯電波を上記建物の入居者にワイヤレスで伝送することを特徴とする無線伝送方法。
【請求項２１】
ミリ波帯電波を屋外で受信し、受信信号を屋内で再放射するアンテナ装置において、
屋内と屋外を仕切る板の一面に受信アンテナの端部が被着され、上記板の他の面で、上記受信アンテナの端部にほぼ一致する場所に、送信アンテナの端部が被着されるようになされたアンテナ装置。
【請求項２２】
請求項２１において、
上記板に被着される上記受信アンテナの端部と上記送信アンテナの端部とは、フランジを有しない構成とされたアンテナ装置。
【請求項２３】
請求項２１において、
上記板に被着される上記受信アンテナの端部と上記送信アンテナの端部とは、非金属のフランジを有するアンテナ装置。
【請求項２４】
請求項２１において、
上記板に被着される上記受信アンテナの端部と上記送信アンテナの端部とは、フランジをそれぞれ有し、上記フランジのそれぞれと上記板との間に電波吸収体を有するアンテナ装置。
【請求項２５】
ミリ波帯電波を屋外で受信し、受信信号を屋内で再放射するアンテナ装置において、
屋内と屋外を仕切る板を芯線が貫通し、上記板の両側から二つの同軸コネクタがそれぞれ突出され、上記芯線と上記二つの同軸コネクタを介して上記受信アンテナと上記送信アンテナが接続されたアンテナ装置。
【発明の詳細な説明】
【０００１】
【発明の属する技術分野】
この発明は、ミリ波帯に適用して好適な無線伝送システム、無線伝送方法およびアンテナ装置に関する。
【０００２】
【従来の技術】
わが国では、ＢＳディジタル放送、ＣＳディジタル放送、ＣＡＴＶ等の種々の放送メディアが普及しており、今後、ディジタル化の進展に伴い、ますます放送メディアの普及と発展が予想されている。一方、これらの放送メディアの普及の障害となる要因も存在する。各家庭における障害として、配線の煩雑さが挙げられる。複数の放送メディアを視聴するためには、各放送メディアのチューナが必要となり、また、屋内の配線が煩雑となる。
【０００３】
この家庭内配線の問題を解決する手段として、ミリ波映像多重伝送システムが提案されている。ミリ波帯（３０〜３００ＧＨｚ、波長１〜１０ｍｍの電波）は、映像信号のような広帯域信号の伝送を小型の通信機器で行うことができる。特に、６０ＧＨｚ帯は、免許不要のバンドであり、電波が遠くまで到達せず、干渉が起こりにくいという特性から、半径十数メートル程度の小さなエリアに限定した無線伝送システムに適している。すなわち、各放送メディアの映像信号を多重化した広帯域信号の無線伝送が可能であり、また、電波がガラス、障子、内壁等を透過するので、隣の部屋でも受像機を設置することが可能であり、さらに、伝搬減衰が大きいという性質によって屋外の他のシステムに干渉を生じない閉じた無線サービスが可能となる。
【０００４】
このような特徴を利用して図１に示すようなテレビジョン映像伝送システムが提案されている。図１において、家庭には、各種のテレビジョン放送を受信するためのアンテナが設置されている。すなわち、地上波放送の受信用のアンテナ１、ＣＳ放送受信用のアンテナ２およびＢＳ放送受信用のアンテナ３が設置されている。これらのアンテナ１、２および３の受信信号が家庭内に設置されているミリ波送信機４に供給される。
【０００５】
また、ＦＷＡ（Ｆｉｘｅｄ　Ｗｉｒｅｌｅｓｓ　Ａｃｃｅｓｓ：固定無線アクセス）用のアンテナ５も設置されている。アンテナ５は、無線ＬＡＮ（Ｗｉｒｅｌｅｓｓ　Ｌｏｃａｌ　Ａｒｅａ　Ｎｅｔｗｏｒｋ）用のもので、ＩＥＥＥ８０２．１１ｂに準拠の２．４ＧＨｚ帯の無線ＬＡＮ方式、ＩＥＥＥ８０２．１１ａ準拠の５ＧＨｚ帯のの無線ＬＡＮ方式、２５ＧＨｚ帯の無線ＬＡＮ方式等の通信が可能とされている。このアンテナ５に対して、無線基地局６が接続されている。
【０００６】
家庭内には、ＳＴＢ（Ｓｅｔ−ｔｏｐ　Ｂｏｘ）７およびＳＴＢ７と接続されたテレビジョン受像機８が設置されている。テレビジョン受像機８は、ＣＡＴＶ（ｃａｂｌｅ　ｔｅｌｅｖｉｓｉｏｎ）のサービスを受けることが可能とされ、また、ＡＤＳＬ（Ａｓｙｍｍｅｔｒｉｃ　Ｄｉｇｉｔａｌ　Ｓｕｂｓｃｒｉｂｅｒ　Ｌｉｎｅ）を介してインターネット網と接続されている。
【０００７】
図１のシステムでは、ミリ波送信機４から送信されるミリ波例えば６０ＧＨｚ帯の電波を壁掛けテレビジョン受像機９等が受信することによって、各種のテレビジョン放送を視聴することが可能となる。また、屋内の受信エリアを拡大するために、中継機１０が必要に応じて設けられている。
【０００８】
上述したように、屋外のアンテナ１，２，３で受信したテレビジョン放送信号を屋内で６０ＧＨｚ帯の電波を使用して再伝送することによって、アンテナおよびチューナ間をフィーダ線で接続することなく各種のテレビジョン放送を視聴でき、テレビジョン受像機の設置場所の自由度も向上する。
【０００９】
【発明が解決しようとする課題】
図１に示すシステムは、屋内の無線伝送システムを提供するものであり、集合住宅におけるテレビジョン視聴の問題点を解決できるものではなかった。すなわち、集合住宅においては、ＢＳ−ＩＦの配線がなされていない、南西にベランダがなくアンテナの設置が困難、南西方向を遮断する建物が存在する等の理由によって、未だにＢＳ放送等の衛星放送のサービスを受けることができない現状がある。また、集合住宅においては、ＣＡＴＶ等の有線放送を引き込みたくても、各世帯への配線工事費等の費用がかかるために、引き込めない現状もある。
【００１０】
したがって、この発明の目的は、集合住宅、ビル等の複数の入居者が居る建物におけるテレビジョン視聴に関する問題を解決できる無線伝送システム、無線伝送方法およびアンテナ装置を提供することにある。
【００１１】
【課題を解決するための手段】
上述した課題を解決するために、請求項１の発明は、建物の屋上または上の階にミリ波送信機を設置し、ミリ波送信機によって、放送メディアの信号をミリ波帯電波として下方に放射し、ミリ波帯電波を建物の入居者にワイヤレスで伝送することを特徴とする無線伝送システムである。
【００１２】
この発明の一態様では、ミリ波送信機から放射された電波の進行方向を各入居者の部屋に向けるために、反射板が使用される。反射板の反射率を選択してミリ波送信機と複数の反射板のそれぞれとの間の距離の相違で生じる受信レベルの相違が補正される。反射板の設置位置を選択することで、受信レベルの相違が補正される。
【００１３】
この発明の他の態様では、各入居者に対して、受信アンテナを設け、ミリ波送信機からの電波を受信するようになされる。受信アンテナは、屋外と屋内を仕切る板の屋内側または屋外側に取り付けられる。受信アンテナで受信したミリ波信号を屋内で送信アンテナによって再放射される。受信アンテナの設置位置を選定し、または受信アンテナのカバーの材質を選定することで、ミリ波送信機と複数の受信アンテナのそれぞれとの間の距離の相違で生じる受信レベルの相違が補正される。
【００１４】
さらに、この発明は、ミリ波帯電波を屋外で受信し、受信信号を屋内で再放射するアンテナ装置において、屋内と屋外を仕切る板の一面に受信アンテナの端部が被着され、板の他の面で、受信アンテナの端部にほぼ一致する場所に、送信アンテナの端部を被着するようにしたアンテナ装置である。
【００１５】
よりさらに、この発明は、ミリ波帯電波を屋外で受信し、受信信号を屋内で再放射するアンテナ装置において、屋内と屋外を仕切る板を芯線が貫通し、板の両側から二つの同軸コネクタがそれぞれ突出され、芯線と二つの同軸コネクタを介して受信アンテナと送信アンテナが接続されたアンテナ装置である。
【００１６】
この発明では、集合住宅等の建物の屋上または上の階にミリ波送信機を設置し、共同のアンテナで受信した放送信号をミリ波帯の信号に変換して放射し、各入居者に設置した受信部によって受信することで、放送メディアを無線で各入居者に伝送することができる。
【００１７】
【発明の実施の形態】
以下、この発明の一実施形態について説明する。この発明により提供される、集合住宅等の複数の入居者が居る建物における視聴上の問題点を解決するための無線伝送システムを縦系配線システムと呼ぶことにする。縦系配線システムとは、建物の屋上または上の階と各入居者との間を縦方向にミリ波の電波を使用して無線接続し、衛星放送を始めとする種々のマルチメディア信号を各入居者へ伝送するシステムのことである。縦系配線システムは、集合住宅内で光ファイバ、同軸ケーブル等の配線を新たに敷設する必要がないので、低コストな接続サービスを実現できる特徴を有している。
【００１８】
図２は、この発明が適用された縦系配線システムの一例を示すもので、参照符号２０が例えば３階建ての集合住宅であり、例えば建物の中央位置に階段スペースが設けられている。中央位置の両側にそれぞれ１戸ずつ、合計６戸の住宅が設けられている。各入居者に対してベランダ２１が設けられている。
【００１９】
集合住宅２０の屋上の中央付近にミリ波送信機２２が設置される。例えば６０ＧＨｚ帯のミリ波が使用される。屋上には、テレビジョン放送受信用の共用のアンテナが設置されており、アンテナの出力がミリ波送信機２２に供給される。ミリ波送信機２２は、テレビジョンアンテナで受信されたテレビジョン信号を６０ＧＨｚ帯のミリ波信号へアップコンバートするアップコンバータと、送信アンテナとを備え、アップコンバートした信号を送信アンテナでほぼ垂直下方へ放射する。一方、各入居者には、受信部２３が設けられ、受信部２３の出力信号が各入居者の屋内に引き込まれる。
【００２０】
上述した縦系配線システムは、集合住宅の屋上にミリ波送信機２２を設置し、さらに、各入居者に受信部２３を設置することによって、各家庭で放送波を受信することができる。この縦系配線システムは、集合住宅内で光ファイバ、同軸ケーブル等の配線を新たに敷設することを不要とでき、低コストの接続サービスを実現できる。また、ミリ波帯の電波は、広帯域の信号の伝送が可能であるため、各家庭に対してＣＡＴＶや、インターネット回線を導入することも可能となり、マルチメディア信号の伝送が可能となる。
【００２１】
図３は、縦系配線システムをより拡張したシステムの構成例を示す。集合住宅２０の屋上に、地上波放送の受信用のアンテナ３１、ＣＳ放送受信用のアンテナ３２およびＢＳ放送受信用のアンテナ３３が設置されている。これらのアンテナ３１、３２および３３の受信信号がミリ波送信機２２に供給される。ミリ波送信機２２からのミリ波帯の電波がミリ波受信部２３で受信され、受信信号が各入居者の屋内に取り込まれる。
【００２２】
参照符号４０は、各入居者を示す。受信部２３を介してミリ波帯の電波が入居者４０の屋内へ取り込まれる。入居者４０の屋内には、受信部２３で受信されたミリ波帯電波を屋内で再放射するミリ波送信機４１が設置されている。送信機４１からのミリ波帯電波が壁掛けテレビジョン受像機４２、液晶テレビジョン受像機４３等に付加されている受信機によって受信される。それによって、入居者４０は、地上波放送、ＣＳ放送、ＢＳ放送、ＣＡＴＶ等のテレビジョン放送を受信でき、また、インターネットへのアクセスが可能となる。
【００２３】
さらに、集合住宅２０の屋上には、他のミリ波送信機２２Ａおよび２２Ｂが設置されている。送信機２２Ａは、集合住宅２０に隣接した他の建物（集合住宅、ビル等）３４の屋上に設置されているミリ波受信部２３Ａに対してミリ波帯電波を送信する。他の建物３４では、建物内に設置されているミリ波帯の電波を使用した屋内無線伝送システムによって、集合住宅２０と同様に、各種のテレビジョン放送を視聴でき、また、インターネットにアクセスすることができる。なお、この発明では、各入居者の屋内では、ミリ波帯の無線伝送システムに限らず、敷設されている無線あるいは有線で各機器に対して受信した信号を伝送しても良い。
【００２４】
集合住宅２０の屋上に設置された他のミリ波送信部２３Ｂから放射された電波が戸建て住宅３５Ｂの屋根に設置されているミリ波受信機２３Ｂ、並びに戸建て住宅３５Ｃの屋根に設置されているミリ波受信部２３Ｃによって受信される。各家庭内に設置されているミリ波帯無線伝送システム等を通じて各種のテレビジョン放送を視聴したり、インターネットに対してアクセスすることができる。このように、アンテナ３１、３２、３３を複数の建物の入居者で共用することができ、また、立地上、または新たにできた建物によって衛星放送を受信できない建物においても衛星放送を受信することが可能となる。
【００２５】
上述した縦系配線システムにおいて、屋上に設置されている送信機２２から放射されたミリ波帯の電波を各入居者が受信するためのいくつかの構成例について説明する。図４に示す例は、受信部２３が反射器５１を有する例である。戸数と等しい数の反射器５１が設置される。図４において拡大して示すように、反射器５１は、金属の反射板５２と、反射板５２を支持し、ベランダ２１等に取り付けるための取付け部５３とからなる。
【００２６】
集合住宅２０の屋上に設置された送信機２２から下方に放射されたミリ波帯の電波が反射器５１にてほぼ直角に進行方向が曲げられ、各戸に向けて放射される。集合住宅２０では、通常、ガラス窓によって屋外と屋内とが仕切られている場合が多い。ミリ波帯の電波は、２ｄＢ程度の比較的少ない透過損失でもってガラスを通過することができる。したがって、殆ど減衰することなく、屋内へ信号を伝送することができる。屋内には、上述したような無線伝送システムが設置され、反射器５１で反射された電波を屋内の受信アンテナで受信し、送信アンテナで再放射される。
【００２７】
縦系配線システムでは、屋上または最上階に送信機２２を設置するので、上の階ほど受信レベルが高くなる。受信レベルが過大であるため、信号が飽和する等の問題が生じる。下の階では、受信レベルが小さすぎるために、ノイズが増加する。したがって、このようなミリ波送信機２２と受信部２３との間の距離に関連した受信レベルのバラツキを補正するようになされる。
【００２８】
図４に示す反射器５１を使用する例では、反射板５２の反射率が受信レベルのバラツキを補正するものとされる。反射板５２を構成する金属材料の種類によって反射率が相違する。例えばアルミニウム板は、ステンレス板に比して反射率が高い。反射率が低い金属からなる反射器５１を上の階に設置し、一方、反射率が高い金属からなる反射器５１を下の階に設置する。また、反射率を下げるために、反射防止フィルムを貼り付けても良い。
【００２９】
後述するように、ミリ波送信機２２または反射器５１で反射された電波が受信アンテナで受信される。通常、受信アンテナには、アンテナを覆うカバーが備えられている。このカバーは、合成樹脂で作られている。カバーの厚みを変えたり、カバーに対して電波吸収体を貼ったりして、反射率を変えることができる。上述した受信レベルの相違を補正する複数の方法を組合せても良い。
【００３０】
また、ミリ波送信機２２のアンテナとして、図５に示すような指向性を有するものを使用する場合では、下の階の反射器５１がアンテナの真下に位置する関係で設置され、上の階の反射器５１がアンテナの真下よりややずれた位置に設置するようになされる。それによって送信機２２のアンテナと反射器５１の距離の相違による受信レベルのバラツキを補正することができる。
【００３１】
次に、受信部２３として受信アンテナを使用する構成について説明する。最初に、ガラス付着型のアンテナの構成について説明する。図６は、ガラス６１の屋内側に受信アンテナ６２、増幅器６３、送信アンテナ６４および増幅器６３用のバッテリ電源６５を配置するものである。受信アンテナ６２は、薄く、平面形状で、ガラス６１に貼り付ける構成のアンテナ例えばマイクロストリップアンテナが使用される。また、増幅器６３を受信アンテナ６２に組み込んだアクティブアンテナを使用しても良い。具体的には、アンテナと増幅素子とを同一の基板上に集積化した増幅型アクティブ集積化アンテナが使用可能である。
【００３２】
図６の構成は、ガラス６１の面に垂直に電波が入射する場合に適している。前述した反射器５１と組み合わせて使用することができる。屋内で、ミリ波帯電波を再放射することによって、屋内無線転送システムが実現できる。この再放射のために、増幅器６３と送信アンテナ６４とバッテリ電源６５が設けられている。送信アンテナ６４は、屋内のテレビジョン受像機の設置位置の自由度を増すために、指向性が広いもの例えばマイクロストリップアンテナが使用される。
【００３３】
図７は、ガラス付着型アンテナの他の例を示す。図７の構成では、ガラス６１の外側、すなわち、屋外に設置した受信アンテナ６６によって、集合住宅２０の屋上に設置されている送信機２２からのミリ波帯電波または反射器５１で反射された電波が受信される。屋内の送信アンテナ６４とは、ガラス６１を挟んで結合される。
【００３４】
図８Ａは、受信アンテナ６６と送信アンテナ６４とをガラス６１を挟んで設置した状態を示している。アンテナ６６および６４は、信号伝送に同軸ケーブル等の線を使用しないものである。例えばホーン型アンテナのような導波管で信号を伝送する構成が使用される。受信アンテナ６６は、その開口がミリ波送信機２２または反射器５１の方に向いて設置される。
【００３５】
図８Ｂは、受信アンテナ６６の後面を示している。導波管６６ａの開口端を取り囲んで円形のフランジ６６ｂを受信アンテナ６６が備えている。このフランジ６６ｂとガラス６１の外面とを接着することによって、受信アンテナ６６をガラス６１に取り付けることができる。
【００３６】
屋内に設けられる再放射用の送信アンテナ６４は、受信アンテナ６６と同様に、同軸ケーブルを使用しないで、給電される種類のアンテナ例えばホーン型アンテナである。送信アンテナ６４は、フランジ６４ｂによってガラス６１に対して取り付けられている。参照符号６７は、増幅器６３およびバッテリ電源６５の収納部である。受信アンテナ６６と送信アンテナ６４とは、互いの導波管の位置がほぼ一致するように、ガラス６１に対して被着される。ガラス６１が透明であることが多いので、位置を合わせてアンテナ６６および６４を取り付けることができる。
【００３７】
受信アンテナ６６の導波管６６ａおよびフランジ６６ｂ、並びに送信アンテナ６４の導波管およびフランジ６４ｂは、金属からなる。通常は、ネジ等を用いて二つの導波管を固定接続しているが、ガラス付着型の構成では、ガラス６１を介在させて二つのアンテナの導波管が対向することになる。その結果、二つのアンテナのフランジ間で電波の反射が生じ、それによって信号波形に歪みが生じるおそれがある。
【００３８】
図９は、受信アンテナ６６および送信アンテナ６４のガラスを挟んで対向する接続部で不要な電波の反射が発生することを防止するためのいくつかの方法を示す。受信アンテナ６６を例に説明するが、送信アンテナ６４についても受信アンテナと同様の対策がなされる。
【００３９】
図９Ａに示す例では、電波の反射の生じる原因となるフランジ６６ｂが除去される。図９Ｂは、フランジとして非金属のフランジ６６ｂ’を使用し、反射量を少なくする他の例を示す。図９Ｃは、フランジ６６ｂに対して電波吸収体６８を貼り付けて反射を抑えるさらに他の例を示す。
【００４０】
次に、ミリ波電波を屋内に引き込む他の例について説明する。図１０Ａは、ミリ波帯で使用できるＶコネクタ７０を埋め込んだガラス７１を示す。ガラス７１は、各加入者の例えばベランダに面した窓に設置される。Ｖコネクタ７０の構成は、図１０Ｂに示すような形態が可能である。ガラス７１の両側からコネクタのメス７２ａおよび７２ｂを突出した構成、一方の側がオス７３ａとされる構成、両側がオス７３ａ、７３ｂの構成が可能である。コネクタ７０内では、ガラス７１内に同軸線路の芯線が埋め込まれ、ガラス７１の外側から内側（屋内）に信号を引き込むことができる。
【００４１】
既設のガラスが図１０Ａに示すコネクタ７０が埋め込まれたガラス７１へ置き換えられ、壁に穴をあける工事をせずに、信号を屋内に引き込むことができる。また、屋外に設置するアンテナは、同軸ケーブルで接続されるので、アンテナの向きの自由度が増す利点もある。
【００４２】
上述した縦系配線システムでは、屋上に設置した送信機２３からの電波を反射器５１によって反射させる構成（図４参照）、ガラス付着型のアンテナで各家庭内に引き込む構成（図８参照）、ガラス７１に埋め込んだコネクタ７０を介して引き込む方法（図１０参照）が採用することができる。さらに、図１１に示すように、反射器５４と受信アンテナ６６とを組み合わせた縦系配線システムを使用しても良い。
【００４３】
集合住宅２０の屋上に設けられたミリ波送信機２２からミリ波帯の電波が放射される。各階には、送信機２２からの電波を受ける反射器５４が設けられている。反射器５４は、送信機２２からの電波の進行方向を略直角に曲げて、各家庭の受信アンテナ６６の方向へ向ける。受信アンテナ６６で受信された信号は、ガラス付着型の構成、またはガラスに埋め込んだＶコネクタを介して屋内に引き込まれる。そして、送信アンテナによって屋内に再放射される。さらに、図示しないが、反射器５４で反射された電波を各家庭の窓ガラスに直交する向きに変える反射器を設けても良い。
【００４４】
上述したように、縦系配線システムでは、受信する階によって生じる受信レベルのバラツキを補正するようになされる。図１１に示す縦系配線システムにおいても、上述したような受信レベルのバラツキの補正がなされる。図１１に示す縦系配線システムでは、各家庭に設置する受信アンテナの取付け位置を比較的自由に選定することができる。
【００４５】
この発明は、上述したこの発明の一実施形態等に限定されるものでは無く、この発明の要旨を逸脱しない範囲内で様々な変形や応用が可能である。例えばミリ波送信機は、屋上に限らず、最上階等の上の階に設置しても良い。
【００４６】
【発明の効果】
この発明による縦系配線システムでは、集合住宅において、同軸ケーブル、光ファイバ等を新たに建物の外に設置することなしに、放送信号を各入居者の屋内に伝送することができる。したがって、配線工事に伴い費用の増大を回避できる。さらに、屋内の無線伝送システムを組み合わせることによって、屋内の配線工事を不要とでき、一層費用の増大を抑えることができる。
【００４７】
この発明によるアンテナ装置では、屋内または屋外に設置された受信アンテナと屋内に設置された送信アンテナとが組み合わされているので、コンパクトな構成で、ミリ波信号を屋内に引き込むことができる。
【図面の簡単な説明】
【図１】先に提案されている家庭内のテレビジョン映像無線伝送システムを説明するための略線図である。
【図２】この発明による無線伝送システムの一実施形態を示す略線図である。
【図３】この発明による無線伝送システムの拡張した構成例を示す略線図である。
【図４】この発明による無線伝送システムにおいて、各加入者の屋内にミリ波送信機からの信号を引き込む構成の一例を示す略線図である。
【図５】ミリ波送信機からの電波の指向性の一例を示す略線図である。
【図６】この発明による無線伝送システムにおいて、各加入者の屋内にミリ波送信機からの信号を引き込む構成の他の例を示すブロック図である。
【図７】この発明による無線伝送システムにおいて、各加入者の屋内にミリ波送信機からの信号を引き込む構成のさらに他の例を示すブロック図である。
【図８】図７の構成を実現するアンテナ装置の一例を示す略線図である。
【図９】図８に示すアンテナ装置の接続部での不要な反射を抑える方法を説明するための略線図である。
【図１０】この発明による無線伝送システムにおいて、各加入者の屋内にミリ波送信機からの信号を引き込むためのコネクタを説明するための略線図である。
【図１１】この発明による無線伝送システムの他の実施形態を示す略線図である。
【符号の説明】
２０・・・集合住宅、２２，２２Ａ，２２Ｂ・・・ミリ波送信機、２３，２３Ａ，２３Ｂ，２３Ｃ・・・受信部、５１・・・反射器、５２・・・反射板、６１，７１・・・ガラス、６２，６６・・・受信アンテナ、６３・・・増幅器、６４・・・送信アンテナ、７０・・・コネクタ
【図１】
2004056457.tif 000003
【図２】
2004056457.tif 000004
【図３】
2004056457.tif 000005
【図４】
2004056457.tif 000006
【図５】
2004056457.tif 000007
【図６】
2004056457.tif 000008
【図７】
2004056457.tif 000009
【図８】
2004056457.tif 000010
【図９】
2004056457.tif 000011
【図１０】
2004056457.tif 000012
【図１１】
2004056457.tif 000013